【手続補正書】
【提出日】平成25年12月10日(2013.12.10)
【手続補正１】
【補正対象書類名】特許請求の範囲
【補正対象項目名】全文
【補正方法】変更
【補正の内容】
【特許請求の範囲】
【請求項１】
下記一般式（Ｉ）で表されるジピロメテン金属錯体化合物又はその互変異性体を含有する着色組成物。
【化１】
2013072966.tif 000001
［一般式（Ｉ）中、Ｒ２〜Ｒ５は、各々独立に、水素原子又は１価の置換基を表す。但し、Ｒ２又はＲ５の少なくとも一方はヘテロアリール基を表す。Ｒ７は、水素原子、ハロゲン原子、アルキル基、アリール基又はヘテロ環基を表す。Ｍａは、Ｚｎを表し、Ｘ３及びＸ４は、各々独立に、ＮＲ（Ｒは水素原子、アルキル基、アルケニル基、アリール基、ヘテロ環基、アシル基、アルキルスルホニル基又はアリールスルホニル基を表す。）、窒素原子、酸素原子又は硫黄原子を表す。Ｙ１及びＹ２は、各々独立に、ＮＲｃ（Ｒｃは水素原子、アルキル基、アルケニル基、アリール基、ヘテロ環基、アシル基、アルキルスルホニル基又はアリールスルホニル基を表す。）、窒素原子又は炭素原子を表す。Ｒ８及びＲ９は、各々独立に、アルキル基、アルケニル基、アリール基、ヘテロ環基、アルコキシ基、アリールオキシ基、アルキルアミノ基、アリールアミノ基又はヘテロ環アミノ基を表す。Ｒ８とＹ１は、互いに結合して５員、６員又は７員の環を形成していてもよく、Ｒ９とＹ２は互いに結合して５員、６員又は７員の環を形成していてもよい。Ｘ５は、Ｍａと結合可能な基を表し、ａは０、１又は２を表す。ａが２の場合、Ｘ５は同じであっても、異なっていてもよい。］
【請求項２】
下記一般式で表されるジピロメテン化合物と、Ｚｎとから得られるジピロメテン金属錯体化合物又はその互変異性体を含有する着色組成物。
【化２】
2013072966.tif 000002
[一般式中、Ｒ１〜Ｒ６は、各々独立に、水素原子又は１価の置換基を表す。但し、Ｒ２又はＲ５の少なくとも一方はヘテロアリール基を表す。Ｒ７は、水素原子、ハロゲン原子、アルキル基、アリール基又はヘテロ環基を表す。］
【請求項３】
前記一般式（Ｉ）中、Ｒ２及びＲ５が、ヘテロアリール基を表す請求項１に記載の着色組成物。
【請求項４】
前記ヘテロアリール基が、下記一般式（ＩＩ）で表される請求項１〜請求項３のいずれか一項に記載の着色組成物。
【化３】
2013072966.tif 000003
（一般式（ＩＩ）中、ＨｅｔＡｒ１はヘテロアリール環を表す。該ヘテロアリール環は１以上の置換基を有していてもよい。置換基を有する場合には、該置換基が、該ヘテロアリール環を構成する炭素原子の少なくとも一つと結合し、該ヘテロアリール環とともに縮合環を形成してもよい。）
【請求項５】
更に、重合性化合物と光重合開始剤とを含有する請求項１〜請求項４のいずれか一項に記載の着色組成物。
【請求項６】
請求項１〜請求項５のいずれか一項に記載の着色組成物を硬化して得られた着色硬化膜。
【請求項７】
請求項６に記載の着色硬化膜を備えたカラーフィルタ。
【請求項８】
請求項１〜請求項５のいずれか一項に記載の着色組成物を支持体上に付与し、着色組成物層を形成する着色組成物層形成工程と、形成された前記着色組成物層をパターン状に露光し、現像して着色硬化膜を形成するパターン状の着色硬化膜形成工程と、を有するカラーフィルタの製造方法。
【請求項９】
請求項７に記載のカラーフィルタ又は請求項８に記載のカラーフィルタの製造方法により作製されたカラーフィルタを備えた液晶表示装置。
【請求項１０】
請求項７に記載のカラーフィルタ又は請求項８に記載のカラーフィルタの製造方法により作製されたカラーフィルタを備えた固体撮像素子。
【請求項１１】
下記一般式（Ｉ）で表されるジピロメテン金属錯体化合物又はその互変異性体。
【化４】
2013072966.tif 000004
[一般式（Ｉ）中、Ｒ２〜Ｒ５は、各々独立に、水素原子又は１価の置換基を表す。但し、Ｒ２又はＲ５の少なくとも一方はヘテロアリール基を表す。Ｒ７は、水素原子、ハロゲン原子、アルキル基、アリール基又はヘテロ環基を表す。Ｍａは、Ｚｎを表し、Ｘ３及びＸ４は、各々独立に、ＮＲ（Ｒは水素原子、アルキル基、アルケニル基、アリール基、ヘテロ環基、アシル基、アルキルスルホニル基又はアリールスルホニル基を表す。）、窒素原子、酸素原子又は硫黄原子を表す。Ｙ１及びＹ２は、各々独立に、ＮＲｃ（Ｒｃは水素原子、アルキル基、アルケニル基、アリール基、ヘテロ環基、アシル基、アルキルスルホニル基又はアリールスルホニル基を表す。）、窒素原子、又は炭素原子を表す。Ｒ８及びＲ９は、各々独立に、アルキル基、アルケニル基、アリール基、ヘテロ環基、アルコキシ基、アリールオキシ基、アルキルアミノ基、アリールアミノ基又はヘテロ環アミノ基を表す。Ｒ８とＹ１は、互いに結合して５員、６員又は７員の環を形成していてもよく、Ｒ９とＹ２は互いに結合して５員、６員、又は７員の環を形成していてもよい。Ｘ５は、Ｍａと結合可能な基を表し、ａは０、１又は２を表す。ａが２の場合、Ｘ５は同じであっても、異なっていてもよい。］
【手続補正２】
【補正対象書類名】明細書
【補正対象項目名】００１１
【補正方法】変更
【補正の内容】
【００１１】
［一般式（Ｉ）中、Ｒ２〜Ｒ５は、各々独立に、水素原子又は１価の置換基を表す。但し、Ｒ２又はＲ５の少なくとも一方はヘテロアリール基を表す。Ｒ７は、水素原子、ハロゲン原子、アルキル基、アリール基又はヘテロ環基を表す。Ｍａは、Ｚｎを表し、Ｘ３及びＸ４は、各々独立に、ＮＲ（Ｒは水素原子、アルキル基、アルケニル基、アリール基、ヘテロ環基、アシル基、アルキルスルホニル基又はアリールスルホニル基を表す。）、窒素原子、酸素原子又は硫黄原子を表す。Ｙ１及びＹ２は、各々独立に、ＮＲｃ（Ｒｃは水素原子、アルキル基、アルケニル基、アリール基、ヘテロ環基、アシル基、アルキルスルホニル基又はアリールスルホニル基を表す。）、窒素原子又は炭素原子を表す。Ｒ８及びＲ９は、各々独立に、アルキル基、アルケニル基、アリール基、ヘテロ環基、アルコキシ基、アリールオキシ基、アルキルアミノ基、アリールアミノ基又はヘテロ環アミノ基を表す。Ｒ８とＹ１は、互いに結合して５員、６員又は７員の環を形成していてもよく、Ｒ９とＹ２は互いに結合して５員、６員又は７員の環を形成していてもよい。Ｘ５は、Ｍａと結合可能な基を表し、ａは０、１又は２を表す。ａが２の場合、Ｘ５は同じであっても、異なっていてもよい。］
【手続補正３】
【補正対象書類名】明細書
【補正対象項目名】００１２
【補正方法】変更
【補正の内容】
【００１２】
＜２＞  下記一般式で表されるジピロメテン化合物と、Ｚｎとから得られるジピロメテン金属錯体化合物又はその互変異性体を含有する着色組成物。
【手続補正４】
【補正対象書類名】明細書
【補正対象項目名】００１４
【補正方法】変更
【補正の内容】
【００１４】
[一般式中、Ｒ１〜Ｒ６は、各々独立に、水素原子又は１価の置換基を表す。但し、Ｒ２又はＲ５の少なくとも一方はヘテロアリール基を表す。Ｒ７は、水素原子、ハロゲン原子、アルキル基、アリール基又はヘテロ環基を表す。］
＜３＞  前記一般式（Ｉ）中、Ｒ２及びＲ５が、ヘテロアリール基を表す＜１＞に記載の着色組成物。
＜４＞  前記ヘテロアリール基が、下記一般式（ＩＩ）で表される＜１＞〜＜３＞のいずれかに記載の着色組成物。
【手続補正５】
【補正対象書類名】明細書
【補正対象項目名】００１９
【補正方法】変更
【補正の内容】
【００１９】
[一般式（Ｉ）中、Ｒ２〜Ｒ５は、各々独立に、水素原子又は１価の置換基を表す。但し、Ｒ２又はＲ５の少なくとも一方はヘテロアリール基を表す。Ｒ７は、水素原子、ハロゲン原子、アルキル基、アリール基又はヘテロ環基を表す。Ｍａは、Ｚｎを表し、Ｘ３及びＸ４は、各々独立に、ＮＲ（Ｒは水素原子、アルキル基、アルケニル基、アリール基、ヘテロ環基、アシル基、アルキルスルホニル基又はアリールスルホニル基を表す。）、窒素原子、酸素原子又は硫黄原子を表す。Ｙ１及びＹ２は、各々独立に、ＮＲｃ（Ｒｃは水素原子、アルキル基、アルケニル基、アリール基、ヘテロ環基、アシル基、アルキルスルホニル基又はアリールスルホニル基を表す。）、窒素原子、又は炭素原子を表す。Ｒ８及びＲ９は、各々独立に、アルキル基、アルケニル基、アリール基、ヘテロ環基、アルコキシ基、アリールオキシ基、アルキルアミノ基、アリールアミノ基又はヘテロ環アミノ基を表す。Ｒ８とＹ１は、互いに結合して５員、６員又は７員の環を形成していてもよく、Ｒ９とＹ２は互いに結合して５員、６員、又は７員の環を形成していてもよい。Ｘ５は、Ｍａと結合可能な基を表し、ａは０、１又は２を表す。ａが２の場合、Ｘ５は同じであっても、異なっていてもよい。］